(57)【特許請求の範囲】
【請求項１】
上方に開放された箱形で縦横方向に隣接配置される複数の型枠を備え、
型枠内にコンクリートを打設して上面が連続する面に形成されることを特徴とするコンクリート台。
【請求項２】
型枠は、上面が所定の角度に傾斜する型枠であり、
型枠内に打設したコンクリートの上面が連続する傾斜面に形成された斜台であることを特徴とする請求項１記載のコンクリート台。
【請求項３】
型枠は、多角形状の底板部と、底板部の各辺部から垂直に立ち上がる壁部と、を備えていることを特徴とする請求項１または２記載のコンクリート台。
【請求項４】
型枠は、互いに隣り合う各辺部において、どちらか一方に壁部を有していることを特徴とする請求項１から３のいずれかに記載のコンクリート台。
【請求項５】
隣接配置状態で周囲部の型枠は、固定部材を介して台設置面に固定されることを特徴とする請求項１から４のいずれかに記載のコンクリート台。
【発明の詳細な説明】
【０００１】
【発明の属する技術分野】
本発明は、立坑の底部においてシールドマシンを切羽面方向に移動可能に支持するに好適する斜台等のコンクリート台に関する。
【０００２】
【従来の技術】
従来は、所定の角度を有する上面を備えた斜台（コンクリート台）が作業用機械等の発進時に用いられる（特開平６−１７３５７９号公報参照）。例えば、図４および図５に示すように、斜台１０は、立坑１１内の立坑ステージ天端１２上に所定間隔開けて立設されＨ型鋼から成る複数の調整部材１３と、これら調整部材１３の上面に沿って載置される平面視矩形状の発進架台１４と、該発進架台１４上に載置されシールドマシン１５を下方左右から支持する発進架台案内部１６とを備えて形成されている。
【０００３】
【発明が解決しようとする課題】
従来の斜台１０は、シールドマシン１５の現地組立時に、立坑ステージ天端１２の間に調整部材１３を立設して斜台１０を形成するようになっていた。このため、斜台１０に所望する勾配を持たせる場合、高さの異なる複数種類の調整部材１３を用意しなければならないので、製作費用が高くなるばかりか、斜台１０の高さを微調整するのが困難であるという問題があった。
さらに、斜台１０上に載置するシールドマシン１５の大きさや重量が大きい場合、こうした大きさや重量を支えるために必要な調整部材１３の数が増えるため、その分、調整部材１３を設置する工数が増すとともに設置費用が高くなるという問題があった。
また、斜台１０の撤去作業をする際には、設置した多数の調整部材１３を撤去する面倒が生じるという問題があった。
【０００４】
本発明の課題は、例えばシールドマシンを掘削するトンネルの切羽面に移動させるコンクリート台であって、調整部材が不要で、設置並びに撤去を容易にすることである。
【０００５】
【課題を解決するための手段】
以上の課題を解決するため、請求項１記載の発明は、
例えば、図１に示すように、
上方に開放された箱形で縦横方向に隣接配置される複数の型枠２を備え、
型枠２内にコンクリートを打設して上面が連続する面に形成されるコンクリート台１を特徴とする。
【０００６】
請求項１記載の発明によれば、縦横方向に隣接配置される複数の型枠から構成されるコンクリート台なので、現場に必要個数の型枠を個別に搬入しさえすれば良く、設置作業が容易である。また、たがね等を用いて個々の型枠に分割可能なので、コンクリート台の撤去が容易である。
また、コンクリート台は、使用する型枠の個数や組み合わせによって、所望する大きさや形状に容易に形成される。従って、コンクリート台は、載置する作業用機械等の大きさや形状を制限することなく、幅広い用途に用いられる。
【０００７】
請求項２記載の発明は、
例えば、図１に示すように、
請求項１記載のコンクリート台１において、
型枠は、上面が所定の角度に傾斜する型枠２であり、
型枠２内に打設したコンクリートの上面が連続する傾斜面２０に形成された斜台１であることを特徴とする。
【０００８】
請求項２記載の発明によれば、縦横方向に隣接配置した型枠内にコンクリートを打設して、所定の角度の傾斜面を上面に有する斜台を形成するため、従来のように、調整部材などによって斜台の傾斜面の角度を微調整したりする必要がない。
【０００９】
請求項３記載の発明は、
例えば、図３に示すように、
請求項１または２記載のコンクリート台１において、
型枠２は、多角形状の底板部３と、該底板部３の各辺部から垂直に立ち上がる壁部４とを備えていることを特徴とする。
【００１０】
ここで、型枠は、例えば、底板部と壁部が直交する角部の内側の面にリブ等の補強材を設けている（またはアングル材等の補強材を当接するよう設けている）。従って、型枠の角部は、リブ（またはアングル材）等により補強されて剛性率が高くなるため、型枠内にコンクリートを打設しても、壁部は外側へ倒れ込むことなく底板部に対して垂直に立設した状態を保つことができる。
【００１１】
請求項４記載の発明は、
例えば、図３に示すように、
請求項１から３のいずれかに記載のコンクリート台１において、
型枠２は、互いに隣り合う各辺部において、どちらか一方に壁部４を有していることを特徴とする。
【００１２】
請求項４記載の発明によれば、壁部は、型枠の互いに隣り合う各辺部のどちらか一方に設けるため、型枠の材料費を節減する。
【００１３】
請求項５記載の発明は、
例えば、図３に示すように、
請求項１から４のいずれかに記載のコンクリート台１において、
隣接配置状態で周囲部の型枠２ａ、２ｂ、２ｃ、２ｄ、２ｆ、２ｇ、２ｈ、２ｉは、固定部材を介して台設置面に固定されることを特徴とする。
【００１４】
請求項５記載の発明によれば、内側の型枠は台設置面に固定されず、周囲部の型枠によって取り囲まれ支持されているため、周囲部の型枠のみに備えられた固定部の固定機能を解除することで全ての型枠が取り外され、コンクリート台を容易に撤去することができる。
【００１５】
【発明の実施の形態】
以下、図を参照して本発明の実施の形態を詳細に説明する。
【００１６】
まず、構成を説明する。
コンクリート台（斜台）１は、図１および図３に示すように、縦横方向に隣接配置され略矩形状に組み立てられる複数の型枠２を備えて構成されており、型枠２内にコンクリートを打設して連続する傾斜面２０を上面に設けることで形成されている。
【００１７】
型枠２は、上方が開放された箱形で、上面が所定の角度に傾斜しており、平面視矩形状で平板な底板部３と、底板部３の各辺部から垂直に立上がる平板状の壁部４とを備えて構成されている。また、型枠２の底板部３と壁部４が直交する角部の内側には、図示しないリブ等の補強材が設けられている（またはアングル材等の補強材が当接するように設けられている）。
【００１８】
実施形態のコンクリート台１を構成する型枠２は、図３で示すように、底板部３と、底板部３の各辺部から垂直に立設する壁部４との組み合わせにより、下記に示すような異なる種類が予め用意されている。
要するに、コンクリート台１を構成する中央の列には、傾斜面２０の傾斜方向下方から順に型枠２ｄ、２ｅ、２ｆが、上面の傾斜面２０が連続するように隣接配置される。また、型枠２ｄの左右両側には型枠２ａ、２ｆが、型枠２ｅの左右両側には型枠２ｂ、２ｈが、型枠２ｆの左右両側には型枠２ｃ、２ｉがそれぞれ、上面の傾斜面２０が連続するように隣接配置されている。
【００１９】
型枠２ｄは、底板部３と、壁部４ａ、４ｂ、４ｂ、４ｃとを備えて構成されており、これら壁部４ａ、４ｂ、４ｂ、４ｃが、型枠２ｄの上方を開放するとともに、底板部３の各辺部上に垂直に立設され形成されている。
壁部４ａ、４ｃは、互いに異なる面積と、底板部３の一辺と同等な長さの辺とを有する矩形状の平板であって、底板部３の辺と同等な長さの壁部４ａの辺を、底板部３の相対する二辺上に合わして垂直に立設されている。
壁部４ｂは、台形状の平板であって、コンクリート台１の傾斜面２０と同等な角度の斜辺と、壁部４ａの一辺と同等な長さの辺と、壁部４ｃの一辺と同等な長さの辺と、底板部３の一辺と同等な長さの辺とを有している。壁部４ｂ、４ｂは、底板部３の相対する二辺上において、斜辺を上方に向けるとともに、壁部４ａ、４ｂ、４ｂ、４ｃの同等な長さの辺どうしを合わして垂直に立設されている。
【００２０】
型枠２ｅは、底板部３と、壁部４ｄ、４ｅ、４ｅとを備えて構成されており、これら壁部４ｄ、４ｅ、４ｅが、型枠２ｅの上方を開放するとともに、底板部３の各辺部上に垂直に立設され形成されている。
壁部４ｄは、矩形状の平板であり、底板部３の辺部に沿って垂直に立設する底板部３の一辺と同等な長さの辺を有している。
壁部４ｅは、台形状の平板であって、コンクリート台１の傾斜面２０と同等な角度の斜辺と、型枠２ｄの壁部４ｃの一辺と同等な長さの辺と、壁部４ｄの一辺と同等な長さの辺とを有している。壁部４ｅ、４ｅは、底板部３の相対する二辺上において、斜辺を上方に向けるとともに、壁部４ｄと同等な長さの辺どうしを合わせてコ字状に垂直に立設されている。
【００２１】
型枠２ｆは、底板部３と、壁部４ｆ、４ｇ、４ｇとを備えて構成されており、これら壁部４ｆ、４ｇ、４ｇが、型枠２ｆの上方を開放するとともに、底板部３の各辺部において垂直に立設され形成されている。
壁部４ｆは、矩形状の平板であって、底板部３の辺部に沿って垂直に立設される底板部３の一辺と同等な長さの辺を有している。
壁部４ｇは、台形状の平板であって、コンクリート台１の傾斜面２０と同等な角度の斜辺と、型枠２ｅの壁部４ｄの一辺と同等な長さの辺と、壁部４ｆの一辺と同等な長さの辺とを有している。壁部４ｇ、４ｇは、底板部３の相対する二辺上において、壁部４ｇ、４ｇの斜辺を上方に向けるとともに、壁部４ｆと同等な長さの辺どうしを合わせてコ字状に垂直に立設されている。
【００２２】
型枠２ｄの左右に隣接される型枠２ａ、２ｇは、底板部３と、壁部４ａ、４ｂとを備えて構成されており、底板部３の隣り合う二辺上において、壁部４ａ、４ｂの同等な長さの辺どうしを合わせて壁部４ａ、４ｂをＬ字状に立設して形成されている。
型枠２ａ、２ｇの構成要素である底板部３と壁部４ａ、４ｂとは、型枠２ｄの構成要素である底板部３と壁部４ａ、４ｂの大きさや形状と同等であるため、詳細な説明は省略する。
【００２３】
型枠２ｅの左右に隣接される型枠２ｂ、２ｈは、底板部３と、壁部４ｃ、４ｅとを備えて構成されており、底板部３の隣り合う二辺上において、壁部４ｃ、４ｅの同等な長さの辺どうしを合わせて壁部４ｃ、４ｅをＬ字状に立設して形成されている。
型枠２ｂ、２ｈの構成要素である底板部３と壁部４ｃ、４ｅとは、型枠２ｄ、２ｅの構成要素である底板部３と壁部４ｃ、４ｅの大きさや形状と同等であるため、詳細な説明は省略する。
【００２４】
型枠２ｆの左右に隣接される型枠２ｃ、２ｉは、底板部３と、壁部４ｄ、４ｆ、４ｇとを備えて構成されており、底板部３の各辺部において、壁部４ｄ、４ｆ、４ｇの同等な長さの辺どうしを合わせて壁部４ｄ、４ｆ、４ｇをコ字状に立設して形成されている。
型枠２ｃ、２ｉの構成要素である底板部３と壁部４ｄ、４ｆ、４ｇとは、型枠２ｅ、２ｆの構成要素である壁部４ｄ、４ｆ、４ｇの大きさや形状と同等であるため、詳細な説明は省略する。
【００２５】
次に、実施形態におけるコンクリート台１の形成の仕方について説明する。
まず、立坑１１の台設置面において、型枠２（２ａ、２ｂ、２ｃ、２ｄ、２ｅ、２ｆ、２ｇ、２ｈ、２ｉ）は、図３で示すように、各々の底板部３を下方にし、互いに隣り合う底板部３、３のどちらか一方の辺部に壁部４（４ａ、４ｂ、４ｃ、４ｄ、４ｅ、４ｆ、４ｇ）が垂直に立設するように、縦横方向に隣接配置する。
次に、コンクリート台１を構成する型枠２のうち、内側の型枠２ｅを除いた型枠２ａ、２ｂ、２ｃ、２ｄ、２ｆ、２ｇ、２ｈ、２ｉを、図示しない固定部としてのアングル材を介して立坑１１の台設置面に固定する。つまり、型枠２ａ、２ｇの壁部４ａ、４ｂと、型枠２ｂ、２ｈの壁部４ｅと、型枠２ｃ、２ｉの壁部４ｇ、４ｆと、型枠２ｄの壁部４ａと、型枠２ｆの壁部４ｆとの外面の下端に、それぞれアングル材を溶接して取り付ける。そして、これらアングル材と台設置面を固定するようにアンカーボルト等をねじ込むことによって、周囲部の型枠２ａ、２ｂ、２ｃ、２ｄ、２ｆ、２ｇ、２ｈ、２ｉを台設置面に固定する。その結果、台設置面に固定されない内側の型枠２ｅは、台設置面に固定された周囲部の型枠２ａ、２ｂ、２ｃ、２ｄ、２ｆ、２ｇ、２ｈ、２ｉによって周りから支持される。
【００２６】
さらに、型枠２内にコンクリートを打設してから、鏝で壁部４ａ、４ｂ、４ｃ、４ｄ、４ｅ、４ｆ、４ｇの斜辺に沿って打設コンクリート上面をならし仕上げて固化させることにより、上面が連続する傾斜面２０を形成し、平面視略矩形状なコンクリート台１を形成する。
その後、コンクリート台１は、図２に示すように、傾斜面２０の上面にシールドマシン１５を切羽面へ移動可能に支持するよう載置する。コンクリート台１の傾斜面２０上には、図示しないシールドマシン用発進案内部を設け、この発進案内部からシールドマシン１５を切羽面に向けて滑動させる。
【００２７】
従って、コンクリート台１は、予め傾斜面２０の角度を有する必要個数の型枠２を縦横方向に隣接配置して形成するため、調整部材などによる傾斜面２０の角度を調整する必要はなく、所望するコンクリート台１の形状に容易に形成することができる。
【００２８】
シールドマシン１５の作業終了後、周囲部の型枠２ａ、２ｂ、２ｃ、２ｄ、２ｆ、２ｇ、２ｈ、２ｉに取り付けられた固定部としてのアングル材からアンカーボルトを取り去り、コンクリート台１と台設置面との固定を解除する。次に、たがね等を型枠２の接合部分に打ち込むことで、型枠２の外周の形状に沿ってコンクリート台１を分割し撤去する。
【００２９】
従って、コンクリート台１の内側は、型枠２の壁部４によって複数に区分けされており、たがね等を用いて壁部４に沿って打ち込むことにより、コンクリート台１は個々の型枠２に分割され容易に撤去することができる。
また、コンクリート台１は、周囲部の型枠２ａ、２ｂ、２ｃ、２ｄ、２ｆ、２ｇ、２ｈ、２ｉに取り付けられた固定部としてのアングル材からアンカーボルトを取り去ることによって台設置面から取り外すが、台設置面に固定されていない内側の型枠２ｅは台設置面から取り外す必要が無いため、その分、容易に解体することができる。
【００３０】
なお、以上の実施の形態例において、コンクリート台１は、型枠２を縦横に三列ずつ隣接して形成しているが、本発明はこれに限定されるものではなく、コンクリート台１は、型枠２を縦横方向にどのように隣接配置して設けても良い。
【００３１】
コンクリート台１を台設置面に固定する方法として、周囲部の型枠２の壁部４外面に溶接されるアングル材を台設置面に取り付ける方法を用いているが、本発明はこれに限定されるものではなく、コンクリート台１を取り囲むようなサイズに台設置面に固定配置したＨ型鋼の内側に、型枠２を納めるように配置しても良い。
また、周辺部の型枠２の底板部３を周辺にはみ出るような大きさにし、その底板周辺はみ出し部をアンカーボルトなどで台接地面に固定するようにしても良い。
【００３２】
さらに、型枠２の形状等も任意であり、その他、具体的な細部構造等についても適宜に変更可能であることは勿論である。
例えば、型枠２ａ、２ｂ、２ｃ、２ｄ、２ｅ、２ｆ、２ｇ、２ｈ、２ｉは、互いに隣り合う各辺部において、どちらか一方に壁部４を有するように形成することで、鋼材を節約している。しかし、本発明はこれに限定されるものではなく、型枠２は、底板部３の周囲を囲むよう全ての辺部から壁部４が垂直に立ち上がる形状のみが用意され、コンクリート台１はこうした形状の型枠２のみから構成されていても、本発明の意図から逸脱することはない。
【００３３】
型枠２は、コンクリート台１の設置場所において、必要に応じて底板部３の各辺部に壁部４を垂直に立上がるよう溶接して形成しても良い。
【００３４】
実施形態におけるコンクリート台１の上面は連続する傾斜面として形成されているが、本発明はこれに限定されるものではなく、仮設的にコンクリート台が設けられる場合は、上面は連続する水平面に形成されても良い。
【００３５】
【発明の効果】
請求項１記載の発明によれば、型枠の配置の仕方によって、所望する大きさや形状のコンクリート台を容易に形成することができる。従って、コンクリート台は、載置する作業用機械等の大きさや形状を制限することなく、幅広い用途に用いられる。
また、コンクリート台は複数の型枠から成るため、現場に必要個数の型枠を個別に搬入しさえすれば良いので、設置作業が容易である。また、たがね等を用いて個々の型枠に分割可能なので、コンクリート台の撤去が容易である。
【００３６】
請求項２記載の発明によれば、請求項１と同様の効果を得ることができるのは勿論のこと、縦横方向に隣接配置した型枠内にコンクリートを打設して、所定の角度の傾斜面を上面に有する斜台を形成するため、従来のように、調整部材などによって斜台の傾斜面の角度を微調整したりする必要がない。
【００３７】
請求項３記載の発明によれば、請求項１または２と同様の効果を得ることができるのは勿論のこと、底板部と壁部が直交する角部の内側の面にリブ等の補強材が設けられている（またはアングル材等の補強材が当接するように設けられている）ため、型枠の角部は、リブ（またはアングル材）等により補強されて剛性率が高くなる。従って、型枠内にコンクリートを打設しても、壁部は外側へ倒れ込むことなく底板部に対して垂直に立設した状態を保つことができる。
【００３８】
請求項４記載の発明によれば、請求項１から３のいずれかと同様の効果を得ることができるのは勿論のこと、互いに隣り合う型枠の各辺部のどちらか一方に壁部が設けられているため、型枠の材料費を節減することができる。
【００３９】
請求項５記載の発明によれば、請求項１から４のいずれかと同様の効果を得ることができるのは勿論のこと、内側の型枠は台設置面に固定されず、周囲部の型枠によって取り囲まれ支持されているため、周囲部の型枠のみに備えられた固定部の固定機能を解除することで全ての型枠が取り外され、コンクリート台を容易に撤去することができる。
【図面の簡単な説明】
【図１】本発明を適用する一実施の形態のコンクリート台（斜台）を示すもので、型枠を縦横に三列ずつ隣接した状態を示す斜視図である。
【図２】立坑内においてシールドマシンがコンクリート台に載置された状態を示す側面図である。
【図３】コンクリート台を構成する型枠が個別に分割された状態を示す斜視図である。
【図４】コンクリート台に関する従来の技術の一例を示すもので、立坑内においてシールドマシンがコンクリート台に載置された状態を示す正面図である。
【図５】図４の側面図である。
【符号の説明】
１  コンクリート台（斜台）
２（２ａ、２ｂ、２ｃ、２ｄ、２ｅ、２ｆ、２ｇ、２ｈ、２ｉ）  型枠
３  底板部
４（４ａ、４ｂ、４ｃ、４ｄ、４ｅ、４ｆ、４ｇ）  壁部
２０  傾斜面
【図１】
0004185229.tif 000002
【図２】
0004185229.tif 000003
【図３】
0004185229.tif 000004
【図４】
0004185229.tif 000005
【図５】
0004185229.tif 000006